(57)【特許請求の範囲】
【請求項１】
反応媒体と結合して発熱又は反応媒体が脱離して蓄熱する蓄熱材成形体を備える蓄熱材反応部と、前記蓄熱材反応部に積層され、前記蓄熱材反応部への熱供給及び前記蓄熱材反応部からの熱回収のうち少なくとも一方を行う熱交換部と、を有する積層体を備え、積層方向の上面、下面、互いに反対側を向く一対の第一側面、及び互いに反対側を向くと共に前記第一側面に対して交差する一対の第二側面が形成されている積層ユニットと、
前記上面、前記下面、及び一対の前記第一側面を外側から囲み、前記蓄熱材成形体が膨張する前の状態で、一対の前記第一側面と接触しており、前記蓄熱材成形体が膨張した際に、夫々の面に接して前記積層ユニットを拘束する第一拘束部材と、
前記上面、前記下面、及び一対の前記第二側面を外側から囲み、前記蓄熱材成形体が膨張する前の状態で、一対の前記第二側面と接触しており、前記蓄熱材成形体が膨張した際に、夫々の面に接して前記積層ユニットを拘束する第二拘束部材と、
を備える化学蓄熱反応器。
【請求項２】
前記第一拘束部材と前記第二拘束部材との異なる部材は、前記上面の中央側の部分、及び前記下面の中央側の部分で少なくとも一部が重なっている請求項１に記載の化学蓄熱反応器。
【請求項３】
前記第一拘束部材の周長が単位温度当たりに長くなる長さは、前記積層ユニットにおいて前記第一拘束部材によって拘束される部分の周長が単位温度当たりに長くなる長さと比して同等又は小さく、かつ、第二拘束部材の周長が単位温度当たりに長くなる長さは、前記積層ユニットにおいて前記第二拘束部材によって拘束される部分の周長が単位温度当たりに長くなる長さと比して同等又は小さい請求項１又は２に記載の化学蓄熱反応器。
【請求項４】
前記第一拘束部材及び前記第二拘束部材の少なくとも一方は、前記積層ユニットを拘束する前の状態で、前記積層ユニットの各面に沿った矩形状の枠体とされている請求項１〜３の何れか１項に記載の化学蓄熱反応器。
【請求項５】
前記蓄熱材反応部は、
前記熱交換部に積層され、前記蓄熱材成形体を備える蓄熱材層と、
前記蓄熱材層に対して前記熱交換部の反対側で前記蓄熱材層に積層され、前記蓄熱材層へ供給される反応媒体及び前記蓄熱材層から排出される反応媒体が流れる反応媒体拡散層と、
前記蓄熱材層と前記反応媒体拡散層とに挟まれ、前記蓄熱材成形体を構成する蓄熱材が前記反応媒体拡散層側に移動するのを制限し、前記反応媒体拡散層と前記蓄熱材層との間で反応媒体が移動するのを許容する蓄熱材拘束層と、を備え、
前記蓄熱材層と前記蓄熱材拘束層と前記反応媒体拡散層とは、非接合状態で積層されている請求項１〜４に記載の化学蓄熱反応器。
【請求項６】
請求項１〜請求項５の何れか１項に記載の化学蓄熱反応器と、
前記化学蓄熱反応器の容器に連結され、前記容器内への反応媒体の供給及び前記容器内からの反応媒体の受け取りのうち少なくとも一方を行う媒体器と、
を有する化学蓄熱システム。
【発明の詳細な説明】
【技術分野】
【０００１】
本発明は、化学蓄熱反応器、及び化学蓄熱システムに関する。
【背景技術】
【０００２】
特許文献１に記載の積層体は、蓄熱材反応部と、蓄熱材反応部に重ねられている熱交換部とを含んで構成される。そして、この積層体は、積層方向において一対のエンドプレートによって挟まれている。また、夫々のエンドプレートは、矩形状とされ、エンドプレートの四隅には、貫通孔が夫々形成されている。さらに、一方のエンドプレートに形成された貫通孔と他方のエンドプレートに形成された貫通孔にボルトを挿入してボルトの先端部にナットを締め込むことで、一対のエンドプレートに挟まれた積層体に拘束力が生じるようになっている。
【先行技術文献】
【特許文献】
【０００３】
【特許文献１】特開２０１４−１２６２９３号公報
【発明の概要】
【発明が解決しようとする課題】
【０００４】
一方のエンドプレートの四隅と他方のエンドプレートの四隅とをボルト及びナットを介して連結させて積層体に拘束力を生じさせるようになっている。このため、積層体の中央側の部分に生じる拘束力は、積層体の四隅の部分に生じる拘束力と比して小さかった。これにより、蓄熱材反応部に備えられた蓄熱材成形体が膨張した際に、積層体（積層ユニット）が部分的に変形してしまうことがあった。
【０００５】
本願発明の課題は、蓄熱材成形体が膨張した際に、積層ユニットが部分的に変形するのを抑制することである。
【課題を解決するための手段】
【０００６】
本発明の請求項１に係る化学蓄熱反応器は、反応媒体と結合して発熱又は反応媒体が脱離して蓄熱する蓄熱材成形体を備える蓄熱材反応部と、前記蓄熱材反応部に積層され、前記蓄熱材反応部への熱供給及び前記蓄熱材反応部からの熱回収のうち少なくとも一方を行う熱交換部と、を有する積層体を備え、積層方向の上面、下面、互いに反対側を向く一対の第一側面、及び互いに反対側を向くと共に前記第一側面に対して交差する一対の第二側面が形成されている積層ユニットと、前記上面、前記下面、及び一対の前記第一側面を外側から囲み、前記蓄熱材成形体が膨張する前の状態で、一対の前記第一側面と接触しており、前記蓄熱材成形体が膨張した際に、夫々の面に接して前記積層ユニットを拘束する第一拘束部材と、前記上面、前記下面、及び一対の前記第二側面を外側から囲み、前記蓄熱材成形体が膨張する前の状態で、一対の前記第二側面と接触しており、前記蓄熱材成形体が膨張した際に、夫々の面に接して前記積層ユニットを拘束する第二拘束部材と、を備えることを特徴とする。
【０００７】
上記構成によれば、第一拘束部材が、積層ユニットの上面、下面、及び一対の第一側面を外側から囲み、積層ユニットを拘束している。さらに、第二拘束部材が、積層ユニットの上面、下面、及び一対の第二側面を外側から囲み、積層ユニットを拘束している。
【０００８】
このように、第一拘束部材及び第二拘束部材によって、積層ユニットの６面が拘束されている。このため、蓄熱材成形体が膨張した際に、積層ユニットが部分的に変形するのを抑制することができる。
【０００９】
本発明の請求項２に係る化学蓄熱反応器は、請求項１に記載の化学蓄熱反応器において、前記第一拘束部材と前記第二拘束部材との異なる部材は、前記上面の中央側の部分、及び前記下面の中央側の部分で少なくとも一部が重なっていることを特徴とする。
【００１０】
上記構成によれば、第一拘束部材と第二拘束部材とは、上面の中央側の部分及び下面の中央側の部分で重なっている。積層ユニットの上面の中央側の部分、及び下面の中央側の部分に部分的に膨らむ力が作用しても、第一拘束部材及び第二拘束部材が、この力に対抗する。このため、積層ユニットの上面の中央側の部分、及び下面の中央側の部分が部分的に膨らむのを抑制することができる。
【００１１】
本発明の請求項３に係る化学蓄熱反応器は、請求項１又は請求項２に記載の化学蓄熱反応器において、前記第一拘束部材の周長が単位温度当たりに長くなる長さは、前記積層ユニットにおいて前記第一拘束部材によって拘束される部分の周長が単位温度当たりに長くなる長さと比して同等又は小さく、かつ、第二拘束部材の周長が単位温度当たりに長くなる長さは、前記積層ユニットにおいて前記第二拘束部材によって拘束される部分の周長が単位温度当たりに長くなる長さと比して同等又は小さいことを特徴とする。
【００１２】
上記構成によれば、蓄熱材成形体が反応媒体と結合して膨張するに従って、積層ユニットに対する第一拘束部材の拘束力及び積層ユニットに対する第二拘束部材による拘束力を強くすることができる。
【００１３】
本発明の請求項４に係る化学蓄熱反応器は、請求項１〜３の何れか１項に記載の化学蓄熱反応器において、前記第一拘束部材及び前記第二拘束部材の少なくとも一方は、前記積層ユニットを拘束する前の状態で、前記積層ユニットの各面に沿った矩形状の枠体とされていることを特徴とする。
【００１４】
上記構成によれば、第一拘束部材及び第二拘束部材の少なくとも一方は、積層ユニットを拘束する前の状態で、積層ユニットの各面に沿った矩形状の枠体とされている。このため、矩形状の枠体の角部と積層ユニットの角部とを合わせることで、効果的に積層ユニットを拘束することができる。
【００１５】
本発明の請求項５に係る化学蓄熱反応器は、請求項１〜４の何れか１項に記載の化学蓄熱反応器において、前記蓄熱材反応部は、前記熱交換部に積層され、前記蓄熱材成形体を備える蓄熱材層と、前記蓄熱材層に対して前記熱交換部の反対側で前記蓄熱材層に積層され、前記蓄熱材層へ供給される反応媒体及び前記蓄熱材層から排出される反応媒体が流れる反応媒体拡散層と、前記蓄熱材層と前記反応媒体拡散層とに挟まれ、前記蓄熱材成形体を構成する蓄熱材が前記反応媒体拡散層側に移動するのを制限し、前記反応媒体拡散層と前記蓄熱材層との間で反応媒体が移動するのを許容する蓄熱材拘束層と、を備え、前記蓄熱材層と前記蓄熱材拘束層と前記反応媒体拡散層とは、非接合状態で積層されていることを特徴とする。
【００１６】
上記構成によれば、蓄熱材反応部を構成する蓄熱材層、蓄熱材拘束層、及び反応媒体拡散層は、非接合状態で重ねられる。しかし、第一拘束部材及び第二拘束部材を用いることで、夫々の層が積層方向に対して交差する方向にずれてしまうのを抑制することができる。
【００１７】
本発明の請求項６に係る化学蓄熱システムは、請求項１〜請求項５の何れか１項に記載の化学蓄熱反応器と、前記化学蓄熱反応器の容器に連結され、前記容器内への反応媒体の供給及び前記容器内からの反応媒体の受け取りのうち少なくとも一方を行う媒体器と、を有することを特徴とする。
【００１８】
上記構成によれば、化学蓄熱システムは、請求項１〜請求項５の何れか１項に記載の化学蓄熱反応器を備えているため、蓄熱材成形体が膨張した際に、積層ユニットが部分的に変形するのが抑制される。このため、化学蓄熱システムの耐久性を向上させることができる。
【発明の効果】
【００１９】
本発明によれば、蓄熱材成形体が膨張した際に、積層ユニットが部分的に変形するのを抑制することができる。
【図面の簡単な説明】
【００２０】
【図１】本実施形態に係る化学蓄熱反応器に備えられた積層ユニットを示した斜視図である。
【図２】本実施形態に係る化学蓄熱反応器に備えられた積層ユニットを示した斜視図である。
【図３】本実施形態に係る化学蓄熱反応器に備えられた積層ユニットを示した斜視図である。
【図４】本実施形態に係る化学蓄熱反応器に備えられた積層ユニットを示した一部分解斜視図である。
【図５】本実施形態に係る化学蓄熱反応器に備えられた積層ユニットを示した一部分解斜視図である。
【図６】本実施形態に係る化学蓄熱反応器に備えられた積層ユニットを示した側面図である。
【図７】本実施形態に係る化学蓄熱反応器に備えられた反応ユニットを示した分解斜視図である。
【図８】（Ａ）（Ｂ）本実施形態に係る化学蓄熱反応器に備えられた蓄熱層を示した分解斜視図、及び斜視図である。
【図９】（Ａ）（Ｂ）本実施形態に係る化学蓄熱反応器に備えられた反応媒体拡散層を示した斜視図、及び正面図である。
【図１０】（Ａ）（Ｂ）本実施形態に係る化学蓄熱反応器に備えられた熱流動部を示した斜視図、及び平面図である。
【図１１】本実施形態に係る反応器（化学蓄熱反応器）に用いられた蓄熱材成形体の反応平衡線及び水の気液平衡線を温度と平衡圧との関係で示す線図である。
【図１２】本実施形態に係る化学蓄熱反応器に備えられた反応ユニットを示した断面図である。
【図１３】本実施形態に係る化学蓄熱反応器を示した分解斜視図である。
【図１４】本実施形態に係る化学蓄熱反応器を示した斜視図である。
【図１５】（Ａ）（Ｂ）本実施形態に係る化学蓄熱システムを示した構成図である。
【図１６】本実施形態に係る化学蓄熱反応器に備えられた積層ユニットに対する比較形態に係る積層ユニットを示した斜視図である。
【発明を実施するための形態】
【００２１】
本発明の実施形態に係る化学蓄熱反応器及び化学蓄熱システムの一例について図１〜図１６を用いて説明する。なお、図中に示す矢印Ｈは装置上下方向（鉛直方向）を示し、矢印Ｗは装置幅方向（水平方向）を示し、矢印Ｄは装置奥行方向（水平方向）を示す。
【００２２】
（全体構成）
図１５（Ａ）（Ｂ）に示されるように、本実施形態に係る化学蓄熱システム１０は、水の蒸発、水蒸気（反応媒体の一例）の凝縮が行われる媒体器の一例としての蒸発凝縮器１２と、化学蓄熱反応器の一例としての反応器２０と、蒸発凝縮器１２の内部と反応器２０との内部を連通する連通路１４と、を含んで構成されている。
【００２３】
〔蒸発凝縮器〕
蒸発凝縮器１２は、貯留した水を蒸発させて反応器２０に供給する（水蒸気を生成する）蒸発部、反応器２０から受け取った水蒸気を凝縮する凝縮部、及び水蒸気が凝縮された水を貯留する貯留部、としての各機能を備えている。
【００２４】
また、蒸発凝縮器１２は、内部に水が貯留される容器１６を備えており、この容器１６内には、水蒸気を凝縮、又は水を蒸発するのに用いる冷媒流路１７が備えられている。そして、凝縮時には低温媒体、蒸発時には中温媒体が、冷媒流路１７を流れるようになっている。
【００２５】
冷媒流路１７は、容器１６内における少なくとも気相部１６Ａを含む部分で熱交換を行うように配置されている。
【００２６】
〔連通路〕
連通路１４は、蒸発凝縮器１２（容器１６）と反応器２０（後述する反応容器２２）との連通、非連通を切り替えるための開閉弁１９を備えている。そして、容器１６、反応容器２２、連通路１４、及び開閉弁１９は、互いの接続部位が気密に構成されており、これらの内部空間が予め真空脱気されている。
【００２７】
〔反応器〕
反応器２０は、図１４に示されるように、容器の一例としての反応容器２２と、反応容器２２内に配置されて発熱又は蓄熱する蓄熱材反応部３０と、蓄熱材反応部３０に積層されている熱交換部の一例としての熱流動部５０と備えている。そして、蓄熱材反応部３０と熱流動部５０とを含んで積層体６０が構成され、この積層体６０は、反応容器２２内に複数設けられている。
【００２８】
[反応容器]
反応容器２２は、ステンレス鋼板等で形成され、装置上下方向に延びる円筒状の本体部２２Ａと、本体部２２Ａの上端を閉止する円盤状の上蓋部材２２Ｂと、本体部２２Ａの下端を閉止する円盤状の下蓋部材２２Ｃと備えている。そして、本体部２２Ａと上蓋部材２２Ｂ、及び本体部２２Ａと下蓋部材２２Ｃとが溶接されることで、本体部２２Ａと上蓋部材２２Ｂとの間、及び本体部２２Ａと下蓋部材２２Ｃとの間がシールされている。
【００２９】
これにより、反応容器２２の内部は反応容器２２の外部と隔離され、反応容器２２の内部が真空脱気されている。そして、反応容器２２の内部は、水蒸気（反応媒体の一例）が流れる反応媒体流動部２６とされている。
【００３０】
［蓄熱材反応部：全体構成］
夫々の蓄熱材反応部３０は、反応容器２２の内部に封入され、図７に示されるように、蓄熱材層３２と、蓄熱材層３２に上方側から積層された蓄熱材拘束層３４と、蓄熱材拘束層３４に上方側から積層された反応媒体拡散層３６とを備えている。
【００３１】
そして、蓄熱材層３２、蓄熱材拘束層３４、及び反応媒体拡散層３６は、装置上下方向から見て同様の矩形状とされ、装置上下方向に並んで非接合状態（溶接などで固定されていない状態）で積層されている（所謂積層構造）。
【００３２】
［蓄熱材反応部：蓄熱材層］
蓄熱材層３２は、図８（Ａ）（Ｂ）に示されるように、複数（本実施形態では９個）の蓄熱材成形体４０から構成される蓄熱材ユニット４２と、蓄熱材ユニット４２が取り付けられる枠状のフレーム部材４４とを備えている。
【００３３】
蓄熱材成形体４０の厚さは３０〔ｍｍ〕とされ、装置上下方向（板厚方向）から見て、蓄熱材成形体４０は、一辺が１００〔ｍｍ〕の正方形状とされている。
【００３４】
蓄熱材成形体４０には、一例として、アルカリ土類金属の酸化物の１つである酸化カルシウム（ＣａＯ：蓄熱材の一例）の成形体が用いられている。この成形体は、例えば、酸化カルシウム粉体をバインダ（例えば粘土鉱物等）と混練し、焼成することで、略矩形ブロック状に形成されている。
【００３５】
ここで、蓄熱材成形体４０は、水和に伴って放熱（発熱）し、脱水に伴って蓄熱（吸熱）するものであり、以下に示す反応で放熱、蓄熱を可逆的に繰り返し得る構成とされている。
【００３６】
ＣａＯ  ＋  Ｈ２Ｏ  ⇔  Ｃａ（ＯＨ）２
【００３７】
この式に蓄熱量、発熱量Ｑを併せて示すと、
ＣａＯ  ＋  Ｈ２Ｏ  →  Ｃａ（ＯＨ）２  ＋  Ｑ
Ｃａ（ＯＨ）２  ＋  Ｑ  →  ＣａＯ  ＋  Ｈ２Ｏ
となる。
【００３８】
なお、一例として、蓄熱材成形体４０の１ｋｇ当たりの蓄熱容量は、１．８６［ＭＪ／ｋｇ］とされている。
【００３９】
また、本実施形態において、蓄熱材成形体４０を構成する蓄熱材の粒径とは、蓄熱材が粉体の場合はその平均粒径、粒状の場合は造粒前の粉体の平均粒径とする。これは、粒が崩壊する場合、前工程の状態に戻ると推定されるためである。
【００４０】
また、フレーム部材４４は、装置上下方向から見て矩形枠状とされており、蓄熱材ユニット４２は、フレーム部材４４内に配置されるようになっている。これにより、蓄熱材ユニット４２における水平方向（板厚方向に対して直交する直交方向）の動きは、フレーム部材４４によって拘束されるようになっている。そして。フレーム部材４４の装置上下方向の寸法（厚み寸法）は、水和反応に伴って蓄熱材成形体４０が膨張した際の密度が、予め決められた蓄熱材成形体４０の設定密度になるように決められている。
【００４１】
［蓄熱材反応部：蓄熱材拘束層］
蓄熱材拘束層３４は、図７に示されるように、反応媒体拡散層３６と蓄熱材層３２との間に挟まれ、φ２００〔μｍ〕の貫通孔が多数形成されたエッチングフィルターである。
【００４２】
そして、蓄熱材拘束層３４は、蓄熱材成形体４０（図８参照）を構成する蓄熱材の平均粒径より小さいろ過精度を有している。これにより、蓄熱材拘束層３４では、蓄熱材成形体４０を構成する蓄熱材の平均粒径より小さい流路を水蒸気が通過するのを許容する一方、平均粒径よりも大きい蓄熱材の通過を制限するようになっている。
【００４３】
なお、ろ過精度とは、ろ過効率が５０〜９８％となる粒子径のことであり、ろ過効率とは、ある粒子径の粒子に対する除去効率である。
【００４４】
［蓄熱材反応部：反応媒体拡散層］
反応媒体拡散層３６は、図９（Ａ）に示されるように、矩形状の天板３７と、天板３７に固定される複数の流路部材３８とを有している。流路部材３８は、水蒸気が流れる装置幅行方向に延び、装置奥行方向に間隔を空けて並んでいる（図９（Ｂ）参照）。
【００４５】
夫々の流路部材３８は、図９（Ｂ）に示されるように、天板３７に対して下方側に配置され、装置幅方向から見て蓄熱材拘束層３４（図７参照）側が開放されたＵ字状とされている。そして、上壁３８Ｂが天板３７の下面に溶接されている。
【００４６】
これにより、流路部材３８の内側、及び隣り合う流路部材３８の間に、蓄熱材層３２へ供給される水蒸気、又は蓄熱材層３２から排出される水蒸気が装置幅方向に沿って流れるようになっている。本実施形態では、流路幅（図９（Ｂ）に示すＷ１）は、一例として５〜６〔ｍｍ〕とされている。
【００４７】
〔熱流動部〕
熱流動部５０は、図７に示されるように、下方側から蓄熱材反応部３０に積層されている。
【００４８】
熱流動部５０は、図１０（Ａ）（Ｂ）に示されるように、装置上下方向から見て矩形状の本体部５２と、装置上下方向から見て装置奥行方向の手前側（図１０（Ｂ）の下側）に本体部５２から突出する一対の突出部５４、５６とを備えている。
【００４９】
一対の突出部５４、５８は、装置幅方向に並んで配置され、一対の突出部５４、５６には、装置上下方向に貫通する貫通孔５４Ａ、５６Ａが夫々形成されている。一方、本体部５２の内部には、熱媒体が流れる流路５２Ａが、本体部５２の側壁に沿うように、装置上下方向から見てＵ字状に形成されている。
【００５０】
また、流路５２Ａの一端と、突出部５４の貫通孔５４Ａとを連通させる連通管５３と、流路５２Ａの他端と、突出部５６の貫通孔５６Ａとを連通させる連通管５５とが設けられている。そして、この流路５２Ａは、後述する熱媒体流路７０を通じて反応容器２２の外部に配置された熱源２００又は熱利用対象物２０２（図１５参照）と連通されている。
【００５１】
また、反応器２０には、図３に示されるように、積層体６０が、積層体６０の積層方向（本実施形態では装置上下方向）に３個積層されている。そして、３個の積層体６０によって積層ユニット９０が構成されている。さらに、反応器２０には、積層ユニット９０を、拘束する拘束機構８０が設けられている。
【００５２】
〔拘束機構〕
拘束機構８０は、図１に示されるように、外側から積層ユニット９０を拘束する第一拘束部材８２、及び第二拘束部材８４を備えている。なお、第一拘束部材８２、及び第二拘束部材８４については、詳細を後述する。
【００５３】
〔熱媒体流路〕
熱媒体流路７０は、図１３に示されるように、パイプ状とされ、反応容器２２を構成する上蓋部材２２Ｂを貫通するように装置上下方向に延びて２本設けられている。一方の熱媒体流路７０Ａは、熱媒体を反応容器２２の外部から反応容器２２の内部に流入させるために用いられ、他方の熱媒体流路７０Ｂは、熱媒体を反応容器２２の内部から反応容器２２の外部に流出させるために用いられる。
【００５４】
そして、熱媒体流路７０Ａの周面には貫通孔（図示省略）が形成され、熱媒体流路７０Ａは、熱流動部５０の突出部５４に形成された貫通孔５４Ａ（図１０参照）に挿入されるようになっている。同様に、熱媒体流路７０Ｂの周面には貫通孔（図示省略）が形成され、熱媒体流路７０Ｂは、熱流動部５０の突出部５６に形成された貫通孔５６Ａ（図１０参照）に挿入されるようになっている。これにより、熱媒体流路７０と熱流動部５０に形成された流路５２Ａ（図１０参照）とが連通するようになっている。
【００５５】
〔他の部材〕
図１３、図１４に示されるように、拘束機構８０を用いて拘束され、貫通孔５４Ａ、５６Ａに熱媒体流路７０Ａ，７０Ｂが挿入された積層ユニット９０を下方から支持する円柱状の４個（図１３では３個、図１４では２個のみ示す）の支持部材７２が設けられている。この構成により、下方側に配置された熱流動部５０において、断熱効果を得ることができるようになっている。
【００５６】
一方、反応容器２２の外部に配置された部分の熱媒体流路７０には、図１５に示されるように、熱媒体流路７０の連通先を熱源２００とするか、熱利用対象物２０２とするかを切り替える切替部材７６が備えられている。
【００５７】
（化学蓄熱システムの作用）
次に、化学蓄熱システム１０の作用について説明する。
【００５８】
化学蓄熱システム１０において反応器２０に蓄熱された熱を蓄熱材層３２から発熱（放熱）する際には、図１５（Ｂ）に示されるように、切替部材７６により熱媒体流路７０の連通先が熱利用対象物２０２に切り替えられる。さらに、開閉弁１９を開放し、この状態で、蒸発凝縮器１２の冷媒流路１７に中温媒体を流し、液相部１６Ｂの水を蒸発させる。そして、生成された水蒸気が連通路１４内を矢印Ｄ方向に移動して、反応容器２２内に供給される。
【００５９】
続いて、反応容器２２内では、供給された水蒸気が反応媒体流動部２６を通り、図１２に示されるように、反応媒体拡散層３６を流れる。そして、水蒸気Ｗが蓄熱材拘束層３４を通過して蓄熱材層３２と接触することにより、蓄熱材層３２の蓄熱材成形体４０は、水和反応を生じつつ発熱（放熱）する。この熱は、熱流動部５０の流路５２Ａ内を流れる熱媒体によって、熱利用対象物２０２に輸送される。
【００６０】
一方、化学蓄熱システム１０において蓄熱材層３２の蓄熱材成形体４０に熱を蓄熱する際には、図１５（Ａ）に示されるように、切替部材７６により熱媒体流路７０の連通先が熱源２００に切り替えられる。さらに、開閉弁１９を開放し、この状態で、熱流動部５０の流路５２Ａ内（図１２参照）に熱源２００によって加熱された熱媒体が流れる。
【００６１】
図１２に示されるように、流路５２Ａを流れる熱媒体の熱によって蓄熱材成形体４０が脱水反応を生じ、この熱が蓄熱材成形体４０に蓄熱される。
【００６２】
さらに、蓄熱材成形体４０から離脱された水蒸気Ｗは、蓄熱材拘束層３４から反応媒体拡散層３６に流れ込む。反応媒体拡散層３６に流れ込んだ水蒸気Ｗは、反応媒体流動部２６を通り、図１５（Ａ）に示されるように、連通路１４を矢印Ｅ方向に流れて蒸発凝縮器１２内に流れ込む。
【００６３】
そして、蒸発凝縮器１２の気相部１６Ａにおいて、冷媒流路１７を流通する冷媒によって水蒸気が冷却され、凝縮された水が容器１６の液相部１６Ｂに貯留される。
【００６４】
以上説明した蓄熱材成形体４０の蓄熱、放熱について、図１１に示す化学蓄熱システム１０のサイクル（一例）を参照しつつ補足する。図１１には、ＰＴ線図に示された圧力平衡点における化学蓄熱システム１０のサイクルが示されている。この図において、上側の等圧線が脱水（蓄熱）反応を示し、下側の等圧線が水和（発熱）反応を示している。
【００６５】
このサイクルでは、例えば、蓄熱材成形体４０の温度が４１０℃で蓄熱された場合、水蒸気は、５０℃が平衡温度となる。そして、化学蓄熱システム１０では、水蒸気は蒸発凝縮器１２（図１５参照）において冷媒流路１７の冷媒との熱交換によって５０℃以下に冷却され、凝縮されて水になる。
【００６６】
一方、冷媒流路１７に中温媒体を流すことで、蒸気圧の水蒸気が発生する。例えば、図１１のサイクルにおいて、５℃で水蒸気を発生させる場合、蓄熱材成形体は３１５℃で放熱することが解る。このように、内部が真空脱気されている化学蓄熱システム１０では、５℃付近の低温熱源から熱を汲み上げて、３１５℃もの高温を得ることができる。
【００６７】
（要部構成）
次に、積層ユニット９０を拘束する第一拘束部材８２、及び第二拘束部材８４について説明する。
【００６８】
〔第一拘束部材〕
第一拘束部材８２は、３個設けられ、装置奥行方向から見て、積層ユニット９０を外側から囲み、拘束するようになっている（図１参照）。つまり、第一拘束部材８２は、積層ユニット９０の装置上下方向（積層方向）の上面９０Ａ、下面９０Ｂ、及び  互いに反対側を向く一対の第一側面９０Ｃを外側から囲み、積層ユニット９０を拘束するようになっている。本実施形態では、第一拘束部材８２は、一例として、厚さ２〔ｍｍ〕のステンレス鋼板を用いて形成され、幅が４〔ｍｍ〕とされている。このように、第一拘束部材８２の幅は、流路部材３８の流路幅（図９（Ｂ）に示すＷ１）より狭くされている。
【００６９】
そして、夫々の第一拘束部材８２は、図４に示されるように、積層ユニット９０を拘束する前の状態で、積層ユニット９０の各面に沿った形状とされている。つまり、の第一拘束部材８２は、積層ユニット９０の各面と対向する部分から構成されており、矩形状の枠体とされている。
【００７０】
また、第一拘束部材８２による装置上下方向の拘束長さ（図中Ｌ１）は、蒸気が供給される前の状態の積層ユニット９０の装置上下方向の長さ（図中Ｌ１０）に対して、０．５〜１．０〔ｍｍ〕程度長くされている。さらに、第一拘束部材８２による装置幅方向の拘束長さ（図中Ｌ２）は、蒸気が供給される前の状態の積層ユニット９０の装置幅方向の長さ（図中Ｌ２０）と同等の長さとされている。
【００７１】
これにより、第一拘束部材８２を用いて、蒸気が供給される前の状態の積層ユニット９０を外側から囲むと、装置上下方向において積層ユニット９０と第一拘束部材８２との間には、隙間が生じるようになっている。また、装置幅方向において積層ユニット９０と第一拘束部材８２とは接触するようになっている。
【００７２】
さらに、第一拘束部材８２の周長が単位温度当たりに長くなる長さは、積層ユニット９０において第一拘束部材８２によって拘束される部分の周長が単位温度当たりに長くなる長さと比して同等又は小さくされている。つまり、このような関係となるように、各部を構成する部材の材質が決められている。
【００７３】
例えば、第一拘束部材８２及び後述する第二拘束部材８４は、ステンレス鋼板を用いて形成され、反応媒体拡散層３６は、ステンレス鋼板を用いて形成され、蓄熱材ユニット４２のフレーム部材４４はステンレス鋼板を用いて形成され、熱流動部５０の本体部５２は、ステンレス鋼板を用いて形成されている。
【００７４】
また、第一拘束部材８２が積層ユニット９０を拘束した状態で、図６に示されるように、装置幅方向から見て、第一拘束部材８２は、反応媒体拡散層３６の流路部材３８の縦板３８Ａを跨ぐように配置されている。
【００７５】
〔第二拘束部材〕
第二拘束部材８４は、装置幅方向から見て、積層ユニット９０を外側から囲み、拘束するようになっている（図１参照）。つまり、第二拘束部材８４は、積層ユニット９０の上面９０Ａ、下面９０Ｂ、及び  互いに反対側を向くと共に第一側面９０Ｃに対して交差する一対の第二側面９０Ｄを外側から囲み、積層ユニット９０を拘束するようになっている。本実施形態では、第二拘束部材８４は、一例として、厚さ２〔ｍｍ〕のステンレス鋼板を用いて形成され、幅が１２〔ｍｍ〕とされている。
【００７６】
そして、第二拘束部材８４は、図４に示されるように、積層ユニット９０を拘束する前の状態で、装置奥行方向に分割されている。具体的には、第二拘束部材８４は、装置奥行方向の手前側（図中左側）の分割部材８４Ａと、装置奥行方向の奥側（図中右側）の分割部材８４Ｂとに分割されている。
【００７７】
分割部材８４Ａ、８５Ａは、装置幅方向から見て、互いに対向する側が開放された形状とされている。
【００７８】
そして、分割部材８４Ａの両端側の部分には、短辺が開放された台形状の溝部８６が夫々形成され、分割部材８４Ｂの両端側の部分には、溝部８６と係合する台形状の凸部８８が夫々形成されている。これにより、分割部材８４Ａの夫々の溝部８６と、分割部材８４Ｂの夫々の凸部８８とを係合させることで、第二拘束部材８４は、積層ユニット９０の各面に沿った形状とされるようになっている。つまり、分割部材８４Ａの溝部８６と分割部材８４Ｂの凸部８８とが係合した第二拘束部材８４は、積層ユニット９０の各面と対向した部分から構成され、矩形状の枠体とされている。
【００７９】
また、枠体とされた第二拘束部材８４による装置上下方向の拘束長さ（図中Ｌ３）は、蒸気が供給される前の状態の積層ユニット９０の装置上下方向の長さ（図中Ｌ１０）に対して、０．５〜１．０〔ｍｍ〕程度長くされている。さらに、枠体とされた第二拘束部材８４による装置奥行方向の拘束長さ（図６のＬ４）は、蒸気が供給される前の状態の積層ユニット９０の装置奥行方向の長さ（図中Ｌ４０）と同等の長さとされている。
【００８０】
これにより、第二拘束部材８４を用いて、蒸気が供給される前の状態の積層ユニット９０を外側から囲むと、装置上下方向において積層ユニット９０と第二拘束部材８４との間には、隙間が生じるようになっている。また、装置奥行方向において積層ユニット９０と第二拘束部材８４とは接触するようになっている。
【００８１】
さらに、枠体とされた第二拘束部材８４の周長が単位温度当たりに長くなる長さは、積層ユニット９０において第二拘束部材８４によって拘束される部分の周長が単位温度当たりに長くなる長さと比して同等又は小さくされている。
【００８２】
また、第二拘束部材８４が積層ユニット９０を拘束した状態で、図５に示されるように、第二拘束部材８４の分割部材８４Ａは、熱流動部５０の突出部５４と突出部５６との間に配置されるようになっている。
【００８３】
（要部構成の作用）
次に、要部構成の作用について説明する。
【００８４】
先ず、作業者（図示省略）が、第一拘束部材８２、及び第二拘束部材８４を蒸気が供給される前の状態の積層ユニット９０に装着する作業について説明する。
【００８５】
作業者は、図４、図５に示されるように、分割部材８４Ａ及び分割部材８４Ｂを装置奥行方向から積層ユニット９０に接近させ、分割部材８４Ａの夫々の溝部８６と、分割部材８４Ｂの夫々の凸部８８とを係合させる。これにより、第二拘束部材８４が、積層ユニット９０の上面９０Ａ、下面９０Ｂ、及び一対の第二側面９０Ｄを外側から囲む。
【００８６】
さらに、作業者は、図１、図５に示されるように、第一拘束部材８２を装置奥行方向から積層ユニット９０に接近させ、第一拘束部材８２の内部に積層ユニット９０を挿入する。これにより、第一拘束部材８２が、積層ユニット９０の上面９０Ａ、下面９０Ｂ、及び一対の第一側面９０Ｃを外側から囲む。
【００８７】
そして、積層ユニット９０が第一拘束部材８２及び第二拘束部材８４とで拘束された状態では、第一拘束部材８２と第二拘束部材８４とは、図１、図２に示されるように、積層ユニット９０の上面９０Ａの中央側の部分及び下面９０Ｂの中央側の部分で重なっている。
【００８８】
なお、上面９０Ａ、下面９０Ｂの中央側の部分とは、上面９０Ａ、下面９０Ｂの一辺及び他辺を３等分して、一辺及び他辺において中央側の部分（図３に示す斜線部）である。
【００８９】
次に、水和反応に伴って蓄熱材成形体４０が膨張した際の第一拘束部材８２及び第二拘束部材８４による積層ユニット９０に対する拘束について、比較形態に係る拘束機構１００による積層ユニット９０に対する拘束と比較しつつ説明する。
【００９０】
先ず、比較形態に係る拘束機構１００の構成について説明する。
【００９１】
拘束機構１００は、図１６に示されるように、積層ユニット９０を装置上下方向から挟み込む一対のエンドプレート１０２と、ボルト１０４と、ナット１０６とを備えている。
【００９２】
エンドプレート１０２は、装置上下方向から見て矩形状の本体部１０２Ａと、本体部１０２Ａの四隅から突出する４個の突出部１０２Ｂとを備えている。そして、本体部１０２Ａの外形は、装置上下方向から見て積層ユニット９０の外形と同様の形状とされている。また、夫々の突出部１０２Ｂには、装置上下方向に貫通する貫通孔（図示省略）が形成されている。
【００９３】
そして、上方側のエンドプレート１０２の突出部１０２Ｂに形成された夫々の貫通孔にボルト１０４を貫通させ、さらに夫々のボルト１０４の先端側の部分を下方側のエンドプレート１０２の突出部１０２Ｂに形成された夫々の貫通孔に貫通させる。さらに、ボルト１０４の先端部にナットを締め込む。これにより、拘束機構１００が、積層ユニット９０を拘束するようになっている。
【００９４】
拘束機構１００によって積層ユニット９０が拘束された状態で、積層ユニット９０が反応容器２２（図１４参照）内に配置される。そして、水和反応に伴って蓄熱材成形体４０（図８参照）が膨張すると、装置上下方向においては、積層ユニット９０の上面９０Ａ（図３参照）の中央側の部分、及び下面９０Ｂ（図３参照）の中央側の部分に膨らむ力が作用する（図３の二点鎖線参照）。蓄熱材成形体４０の外周がフレーム部材４４によって拘束されているからである。一方、装置幅方向、及び装置奥行方向においては、フレーム部材４４が蓄熱材成形体４０によって押圧されることで装置上下方向において積層ユニット９０の中央側の部分に外側に膨らむ力が作用する（図３の二点鎖線参照）。
【００９５】
これにより、エンドプレート１０２についてもエンドプレート１０２の中央側の部分が盛り上がってしまう。これは、一対のエンドプレート１０２が四隅でボルト１０４、及びナット１０６を介して互いに連結されている。このため、積層ユニット９０の上面９０Ａ及び下面９０Ｂの中央側の部分に対する拘束力が、積層ユニット９０の上面９０Ａ及び下面９０Ｂの四隅の部分に対する拘束力より弱くなっているからである。
【００９６】
また、装置幅方向、及び装置奥行方向においては、積層ユニット９０は、拘束されていないため、装置上下方向において積層ユニット９０の中央側の部分が外側に膨らんでしまう。
【００９７】
一方、図１に示されるように、第一拘束部材８２及び第二拘束部材８４によって積層ユニット９０が拘束された状態で、積層ユニット９０が反応容器２２（図１４参照）内に配置される。そして、水和反応に伴って蓄熱材成形体４０（図８参照）が膨張すると、前述したように、装置上下方向においては、積層ユニット９０の上面９０Ａの中央側の部分、及び下面９０Ｂの中央側の部分が膨らもうとする。一方、装置幅方向、及び装置奥行方向においては、装置上下方向において積層ユニット９０の中央側の部分が外側に膨らもうとする。
【００９８】
そうすると、装置上下方向において生じていた第一拘束部材８２と積層ユニット９０との隙間、及び第二拘束部材８４と積層ユニット９０との隙間が無くなり、第一拘束部材８２及び第二拘束部材８４と積層ユニット９０とが接触する。そして、第一拘束部材８２及び第二拘束部材８４によって積層ユニット９０が拘束される。
【００９９】
また、前述したように、第一拘束部材８２の周長が単位温度当たりに長くなる長さは、積層ユニット９０において第一拘束部材８２によって拘束される部分の周長が単位温度当たりに長くなる長さと比して同等又は小さくされている。さらに、枠体とされた第二拘束部材８４の周長が単位温度当たりに長くなる長さは、積層ユニット９０において第二拘束部材８４によって拘束される部分の周長が単位温度当たりに長くなる長さと比して同等又は小さくされている。これらにより、蓄熱材成形体４０（図８参照）が蒸気と結合して膨張するに従って、積層ユニット９０に対する第一拘束部材８２の拘束力、及び積層ユニット９０に対する第二拘束部材８４による拘束力が強くなる。
【０１００】
（まとめ）
ここで、第一拘束部材８２は、前述したように、積層ユニット９０の上面９０Ａ、下面９０Ｂ、及び一対の第一側面９０Ｃを外側から囲み、積層ユニット９０を拘束している。また、第二拘束部材８４は、前述したように、積層ユニット９０の上面９０Ａ、下面９０Ｂ、及び一対の第二側面９０Ｄを外側から囲み、積層ユニット９０を拘束している。
【０１０１】
このように、第一拘束部材８２及び第二拘束部材８４によって、積層ユニット９０の６面が拘束されている。このため、第一拘束部材８２及び第二拘束部材８４を用いることで、比較形態に係る拘束機構１００を用いる場合と比して、蓄熱材成形体４０が膨張した際に、積層ユニット９０が部分的に変形するのを抑制することができる。
【０１０２】
また、積層ユニット９０が６面から拘束されていることで、比較形態に係る拘束機構１００を用いる場合と比して、蓄熱材成形体４０が膨張した際に、積層ユニット９０が捻じれてしまうのを抑制することができる。この捻じれは、装置上下方向を軸とする捻じれである。
【０１０３】
また、積層ユニット９０の部分的な変形、及び積層ユニット９０の捻じれが抑制されることで、蓄熱材成形体４０を漏れなく封止することができる。
【０１０４】
また、積層ユニット９０の部分的な変形、及び積層ユニット９０の捻じれが抑制されることで、比較形態に係る拘束機構１００を用いる場合と比して、蓄熱材反応部３０と熱流動部５０との間での熱交換効率が低下するのを抑制することができる。
【０１０５】
また、第一拘束部材８２及び第二拘束部材８４を用いることで、積層ユニット９０が膨らもうとする力を第一拘束部材８２及び第二拘束部材８４の張力（周方向拘束力）に変換して積層ユニット９０が拘束される。このため、第一拘束部材８２及び第二拘束部材８４の薄板化することができる（軽量化することができる）。
【０１０６】
また、第一拘束部材８２を用いて、蒸気が供給される前の状態の積層ユニット９０を外側から囲むと、装置上下方向において積層ユニット９０と第一拘束部材８２との間には、隙間が生じている。また、第二拘束部材８４を用いて、蒸気が供給される前の状態の積層ユニット９０を外側から囲むと、装置上下方向において積層ユニット９０と第二拘束部材８４との間には、隙間が生じている。このため、第一拘束部材８２及び第二拘束部材８４を容易に積層ユニット９０に装着することができる。
【０１０７】
また、蓄熱材成形体４０が膨張するに従って、積層ユニット９０に対する第一拘束部材８２の拘束力、及び積層ユニット９０に対する第二拘束部材８４による拘束力が強くなる。このため、蓄熱材成形体４０が膨張するに従って、積層ユニット９０に対する拘束力が弱くなる場合と比して、第一拘束部材８２及び第二拘束部材８４によって積層ユニット９０を効果的に拘束することができる。
【０１０８】
また、積層ユニット９０が第一拘束部材８２及び第二拘束部材８４とで拘束された状態で、第一拘束部材８２と第二拘束部材８４とは、積層ユニット９０の上面９０Ａの中央側の部分及び下面９０Ｂの中央側の部分で重なっている（図１、図２参照）。このため、積層ユニット９０の上面９０Ａの中央側の部分、及び下面９０Ｂの中央側の部分が部分的に膨らもうとしても、第一拘束部材８２及び第二拘束部材８４が、この力に対抗する。このため、比較形態に係る拘束機構１００を用いる場合と比して、積層ユニット９０の上面９０Ａの中央側の部分、及び下面９０Ｂの中央側の部分が部分的に膨らむのを抑制することができる。
【０１０９】
また、第一拘束部材８２は、積層ユニット９０を拘束する前の状態で、積層ユニット９０の各面に沿った矩形状の枠体とされている。第一拘束部材８２が積層ユニット９０を拘束した状態で、第一拘束部材８２の角部と積層ユニット９０の角部とを合わせることで、積層ユニット９０を効果的に拘束することができる。
【０１１０】
また、蓄熱材反応部３０を構成する蓄熱材層３２、蓄熱材拘束層３４、及び反応媒体拡散層３６は、非接合状態で積層されている。このため、夫々の層を独立して管理（交換・メンテナンス）することができる。さらに、第一拘束部材８２及び第二拘束部材８４を用いることで、夫々の層が装置幅方向、及び装置奥行方向にずれてしまうのを抑制することができる。
【０１１１】
また、第一拘束部材８２の幅は、反応媒体拡散層３６の流路の流路幅より狭くされ、さらに、第一拘束部材８２が積層ユニット９０を拘束した状態で、第一拘束部材８２は、反応媒体拡散層３６の流路部材３８の縦板３８Ａを跨ぐように配置されている（図６参照）。これにより、反応媒体拡散層３６において特定の流路の開口面積が狭くなるのを抑制することができる。
【０１１２】
また、化学蓄熱システム１０においては、蓄熱材成形体４０が膨張した際に、積層ユニット９０が部分的に変形するのが抑制される。このため、化学蓄熱システム１０の耐久性を向上させることができる。
【０１１３】
なお、本発明を特定の実施形態について詳細に説明したが、本発明はかかる実施形態に限定されるものではなく、本発明の範囲内にて他の種々の実施形態をとることが可能であることは当業者にとって明らかである。例えば、上記実施形態では、３個の積層体６０によって積層ユニット９０が構成されたが、１個、２個でもよく、４個以上であってもよい。
【０１１４】
また、上記実施形態では、分割部材８４Ａの溝部８６と分割部材８４Ｂの凸部８８とを係合させて第二拘束部材８４としたが、一対の分割部材を溶接して第二拘束部材としてもよい。
【０１１５】
また、上記実施形態では、特に説明しなかったが、蓄熱材として、アルカリ金属塩化物、アルカリ土類金属塩化物、アルカリ金属臭化物、アルカリ土類金属臭化物におけるアンモニア反応系を用い、反応媒体として、アンモニアを用いてもよい。この構成では、容器の内部圧力が加圧状態とされる。
【０１１６】
また、上記実施形態では、特に説明しなかったが、高温作動時における熱媒体を、高温熱媒体、又は無機混合熱媒体を利用してもよい。これにより、熱効率を向上させることができる。
【０１１７】
また、上記実施形態では、特に説明しなかったが、蓄熱材として、ゼオライト、活性炭、メソポーラスシリカを含む多孔吸着材を用いてもよい。
【符号の説明】
【０１１８】
１０        化学蓄熱システム
１２        蒸発凝縮器（媒体器の一例）
２０        反応器（化学蓄熱反応器の一例）
２２        反応容器（容器の一例）
２６        反応媒体流動部
３０        蓄熱材反応部
３２        蓄熱材層
３４        蓄熱材拘束層
３６        反応媒体拡散層
４０        蓄熱材成形体
５０        熱流動部（熱交換部の一例）
６０        積層体
８２        第一拘束部材
８４        第二拘束部材
９０        積層ユニット
９０Ａ            上面
９０Ｂ            下面
９０Ｃ            第一側面
９０Ｄ            第二側面
【図１】
0006428413.tif 000002
【図２】
0006428413.tif 000003
【図３】
0006428413.tif 000004
【図４】
0006428413.tif 000005
【図５】
0006428413.tif 000006
【図６】
0006428413.tif 000007
【図７】
0006428413.tif 000008
【図８】
0006428413.tif 000009
【図９】
0006428413.tif 000010
【図１０】
0006428413.tif 000011
【図１１】
0006428413.tif 000012
【図１２】
0006428413.tif 000013
【図１３】
0006428413.tif 000014
【図１４】
0006428413.tif 000015
【図１５】
0006428413.tif 000016
【図１６】
0006428413.tif 000017